(57)【特許請求の範囲】
【請求項１】
放送を受信して映像を出力する放送受信装置において、複数画面合成を指示する複数画面キーの操作を検出したときに複数画面合成処理を実行する手段と、複数画面合成状態で前記複数画面キーが押下されたときには１画面表示状態に戻る一方、複数画面合成状態で前記複数画面キー以外の特定のキーが押下されたときには選択画面内のカーソル移動及び決定が上下左右決定キーの操作で行えるカーソル操作モードとし、当該カーソル操作モードの状態で前記複数画面キーが押下されたときには前記複数画面合成状態に戻るように処理する手段と、前記複数画面合成状態のときに上下左右キーの押下を検出したときには画面サイズの変更及び選択画面の切替処理を行う手段と、を備えたことを特徴とする放送受信装置。
【請求項２】
請求項１に記載の放送受信装置において、前記特定のキーはコントローラに設けられた決定キーであることを特徴とする放送受信装置。
【請求項３】
請求項１又は請求項２に記載の放送受信装置において、選択画面をユーザーに知らせるためのマーク画像を表示できるように構成されており、前記複数画面合成状態のときのマーク画像と前記カーソル操作モードのときのマーク画像とに違いをもたせるように構成されたことを特徴とする放送受信装置。
【請求項４】
複数画面合成を指示する複数画面キーの操作が行われたときに複数画面合成を行い、複数画面合成状態で前記複数画面キーが押下されたときには１画面表示状態に戻り、複数画面合成状態で前記複数画面キー以外の特定のキーが押下されたときには選択画面内のカーソル移動及び決定が上下左右決定キーの操作で行えるカーソル操作モードとなり、このカーソル操作モードの状態で前記複数画面キーが押下されたときには前記複数画面合成状態に戻り、前記複数画面合成状態のときに上下左右キーが押下されたときには画面サイズの変更及び選択画面の切替処理を行うことを特徴とする複数画面操作方法。
【請求項５】
請求項４に記載の複数画面操作方法において、前記特定のキーはコントローラに設けられた決定キーであることを特徴とする複数画面操作方法。
【請求項６】
請求項４又は請求項５に記載の複数画面操作方において、選択画面をユーザーに知らせるためのマーク画像の表示を、前記複数画面合成状態のときと前記カーソル操作モードのときとで異ならせることを特徴とする複数画面操作方法。
【発明の詳細な説明】
【技術分野】
【０００１】
この発明は、放送を受信して映像を出力する放送受信装置及び複数画面操作方法に関する。
【背景技術】
【０００２】
複数のチューナ及び２画面合成回路を備え、二つのチューナで受信した映像のスケール変換及び２画面合成を実行して一つのモニタ上に表示する放送受信装置が提案されている（特許文献１参照）。
【０００３】
図３は従来の２画面操作方法を説明する状態遷移図及びこの操作に用いられるリモコン送信機２１を示した説明図である。前記リモコン送信機２１は、２画面専用キーとして、３つのキー（２画面キー、操作切替キー、画面サイズキー）を備えている。前記２画面キーは２画面の開始と終了を指令するキーである。前記操作切替キーは選択画面（操作対象となる画面：操作有効画面）の切替を指令するキーである。そして、前記画面サイズキーは選択画面の画面サイズを切り替えるキーである。選択画面内のカーソル操作は上下左右決定キーを用いて行うことができる（以下、この制御例を第１従来例という）。
【０００４】
図４は従来の他の２画面操作方法を説明する状態遷移図及びこの操作に用いられるリモコン送信機２２を示した説明図である。前記リモコン送信機２２は、２画面専用キーとして、２画面キーだけを備えている。この操作方法では、左右キーが選択画面の切替を指令するキーとなる。また、上下キーが選択画面の画面サイズを切り替えるキーとなる。２画面状態では選択画面内のカーソル操作は行えない。選択画面内のカーソル操作を行うときには１画面表示に戻す必要がある（以下、この制御例を第２従来例という）。
【特許文献１】特開平１１−２５２４７４号公報
【発明の開示】
【発明が解決しようとする課題】
【０００５】
上記第１従来例では、選択画面の切替操作と選択画面内のカーソル操作とを別々のキーで行えるため、キーの操作回数が少ないという利点がある一方、リモコン送信機２１は多くの２画面専用キーを備えることになる。
【０００６】
上記第２従来例では、２画面専用キーは少なくて済むが、２画面状態では選択画面内のカーソル操作は行えず、選択画面内のカーソル操作を行うときには１画面表示に戻す必要がある。
【０００７】
なお、上記第２従来例に関連する２画面操作方法として、選択画面の切替操作と選択画面内のカーソル操作とを兼用キーで実現する方法がある。この方法は、例えば、図４に示す２画面表示状態でリモコン送信機のメニューキーを押下すると、画面上にメニュー画面が重畳表示される。このメニュー画面上には、上下左右決定キーを２画面操作キーとして用いるか或いはカーソル操作のためのキーとして用いるかを選択させる項目が設けられている。ユーザーが上記メニュー画面上で「上下左右決定キーを２画面操作キーとして用いる」を選択すれば、先述した第２従来例と同様の操作が行えることになり、「上下左右決定キーをカーソル操作のためのキーとして用いる」を選択すれば、上下左右決定キーを用いてカーソル操作が行えることになる。しかしながら、このような操作方法ではやはりキー操作回数が多くなってしまう。
【０００８】
この発明は、上記の事情に鑑み、複数画面専用の操作キーの数を少なくすることができ、また、キー操作回数を少なくすることができる放送受信装置及び複数画面操作方法を提供することを目的とする。
【課題を解決するための手段】
【０００９】
この発明の放送受信装置は、上記の課題を解決するために、放送を受信して映像を出力する放送受信装置において、複数画面合成を指示する複数画面キーの操作を検出したときに複数画面合成処理を実行する手段と、複数画面合成状態で前記複数画面キーが押下されたときには１画面表示状態に戻る一方、複数画面合成状態で前記複数画面キー以外の特定のキーが押下されたときには選択画面内のカーソル移動及び決定が上下左右決定キーの操作で行えるカーソル操作モードとし、当該カーソル操作モードの状態で前記複数画面キーが押下されたときには前記複数画面合成状態に戻るように処理する手段と、前記複数画面合成状態のときに上下左右キーの押下を検出したときには画面サイズの変更及び選択画面の切替処理を行う手段と、を備えたことを特徴とする。
【００１０】
上記の構成であれば、複数画面合成状態で前記特定のキーが押下されたときには選択画面内のカーソル移動及び決定が上下左右決定キーの操作で行えるカーソル操作モードとなるので、複数画面専用の操作キーの数を少なくすることができ、また、キー操作回数を少なくすることができる。
【００１１】
上記構成の放送受信装置において、前記特定のキーはコントローラに設けられた決定キーであってもよい。また、これら構成の放送受信装置において、選択画面をユーザーに知らせるためのマーク画像を表示できるように構成されており、前記複数画面合成状態のときのマーク画像と前記カーソル操作モードのときのマーク画像とに違いをもたせるように構成されていてもよい。
【００１２】
また、この発明の複数画面操作方法は、複数画面合成を指示する複数画面キーの操作が行われたときに複数画面合成を行い、複数画面合成状態で前記複数画面キーが押下されたときには１画面表示状態に戻り、複数画面合成状態で前記複数画面キー以外の特定のキーが押下されたときには選択画面内のカーソル移動及び決定が上下左右決定キーの操作で行えるカーソル操作モードとなり、このカーソル操作モードの状態で前記複数画面キーが押下されたときには前記複数画面合成状態に戻り、前記複数画面合成状態のときに上下左右キーが押下されたときには画面サイズの変更及び選択画面の切替処理を行うことを特徴とする。
【００１３】
上記方法であれば、複数画面合成状態で前記特定のキーが押下されたときには選択画面内のカーソル移動及び決定が上下左右決定キーの操作で行えるカーソル操作モードとなるので、複数画面専用の操作キーの数を少なくすることができ、また、キー操作回数を少なくすることができる。
【００１４】
上記の複数画面操作方法において、前記特定のキーはコントローラに設けられた決定キーであってもよい。また、これら方法において、選択画面をユーザーに知らせるためのマーク画像の表示を、前記複数画面合成状態のときと前記カーソル操作モードのときとで異ならせることとしてもよい。
【発明の効果】
【００１５】
この発明であれば、複数画面専用の操作キーの数を少なくすることができ、また、キー操作回数を少なくすることができるという効果を奏する。
【発明を実施するための最良の形態】
【００１６】
以下、この発明の実施形態を図１及び図２に基づいて説明する。
【００１７】
図１に示すように、この実施形態の放送受信装置は、３つのチューナ１Ａ，１Ｂ，１Ｃを備えている。３つのチューナ１Ａ，１Ｂ，１Ｃは、アナログチューナ又はディジタルチューナ又はこれらの混合である。アナログチューナは選局された周波数のアナログ放送波を受信し復調して映像信号を生成する。また、ディジタルチューナは、復調回路、逆インタリーブ回路、誤り訂正回路などを備えることにより、選択したディジタル変調信号を復調してトランスポート・ストリームを出力する。更に、ディジタルチューナは図示しないデマルチプレクサ（ＤＥＭＵＸ）を備える。デマルチプレクサは、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサは、ビデオストリームとオーディオストリームを図示しないＡＶデコーダに供給し、ＰＳＩ／ＳＩに含まれる番組情報等をシステムコントローラ１５に供給する。前記ＡＶデコーダによって映像信号及び音声信号が生成される。
【００１８】
信号切替器２Ａは、前記３つのチューナ１Ａ，１Ｂ，１Ｃのうちの動作中のチューナから出力される映像信号Ｖ１及び音声信号Ａ１を取り出す。信号切替器２Ｂは、２画面モードにおいて、他の動作中のチューナから出力される映像信号Ｖ２及び音声信号Ａ２を選択する。これら信号切替器２Ａ，２Ｂにおける切替はシステムコントローラ１５によって制御される。
【００１９】
セレクタ３は、通常モードでは音声信号Ａ１を出力する一方、２画面モードでは音声信号Ａ１と音声信号Ａ２の一方を選択して出力する。セレクタ３における音声選択はシステムコントローラ１５によって制御される。
【００２０】
２画面合成回路４は、通常モードでは映像信号Ｖ１を出力する一方、２画面モードでは映像信号Ｖ１と映像信号Ｖ２を合成して出力する。例えば、２画面合成回路４はシステムコントローラ１５から２画面実行指令を受け取ると偏向回路７からのタイミング信号を画面分割の境界を示す信号として用いて前記二つの映像信号Ｖ１，Ｖ２を合成する。２画面合成の処理自体はどのような処理でも構わない。
【００２１】
映像処理回路５は、通常モードの１画面映像信号又は２画面モードの２画面映像信号に、ＯＳＤ回路１６からの付加映像を重畳する。ＯＳＤ回路１６はシステムコントローラ１５から出力指示された文字情報や色情報に基づく映像情報を生成する回路であり、このＯＳＤ回路１６により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示、メッセージ表示、更には、２画面モード時における選択画面（操作対象画面）を示すハイライト表示（これについては、後で説明する）などが行える。
【００２２】
映像出力回路６は、映像処理回路５から出力された映像信号を例えばＲＧＢ信号に変換してモニタ（この例ではＣＲＴを用いている）９に与える。モニタ９は前記ＲＧＢ信号と偏向回路７及び高圧回路８からの信号によって駆動される。映像出力端子１０には映像処理回路５から出力された映像信号が供給される。
【００２３】
音声処理回路１１は、セレクタ３から出力された音信信号を受け取って、例えば右（Ｒ）音のアナログ信号及び左（Ｌ）音のアナログ信号を生成する。音声出力回路１２は増幅器等を備えて前記音声信号にてスピーカ１３を駆動する。音声出力端子１４には音声処理回路１１から出力された音声信号が供給される。
【００２４】
図示しないメモリ（ＲＡＭ、ＥＥＰＲＯＭ、フラッシュメモリ、ＲＯＭ等）には、ＥＰＧ用の番組情報の他、後述するメニュー画面上でユーザーにより設定された内容（設定情報）が格納される。
【００２５】
リモコン送信機（リモートコントローラ）１７は、当該放送受信装置に指令を送出するための送信機である。このリモコン送信機１７は、図２に示すように、各種キーを備える。このリモコン送信機１７に設けられたキーを操作すると、そのキーに対応した指令を意味する信号光（リモコン信号）が図示しない発光部から送出される。リモコン受光器１８は、前記リモコン送信機１７のキーが操作されたときに出力される信号光を受光し、これを電気信号に変換してシステムコントローラ１５に与える。システムコントローラ１５は、前記リモコン信号に基づいてコード解析を行い、例えばチャンネル選局指令やカーソル移動指令等をチューナやＯＳＤ回路に与える。
【００２６】
システムコントローラ１５は、この放送受信装置における全体制御を行うものであるが、特にこの発明にかかる制御として、以下に示すごとく、２画面表示操作に関する処理を実行する。
【００２７】
図２にはこの発明の実施形態の２画面操作方法を説明する状態遷移図及びこの操作に用いられるリモコン送信機１７を示した説明図である。リモコン送信機１７は従来項で説明したリモコン送信機２２と同様、２画面専用キーとして２画面キーだけを備えている。
【００２８】
システムコントローラ１５は、図２に示している状態１（１画面表示状態）のときに２画面キーの押下を検出すると、２画面合成表示を実行する。この２画面合成表示の状態を状態２という。このとき、ＯＳＤ回路１６を用い、選択画面がどちらであるかをユーザーに知らせるために一方の画面（ここでは、１画面表示時の画面としている）に枠状のハイライトを描画する。
【００２９】
システムコントローラ１５は、状態２のときに２画面キーの押下を検出すると状態１に戻る処理を行う。また、状態２のときに決定キーが押下されると、選択画面内でカーソル操作が可能な状態３に遷移する。すなわち、システムコントローラ１５は、状態３においては上下左右決定キーの押下によるリモコン信号をカーソル移動及び項目決定の指令として扱う。なお、システムコントローラ１５は状態３となったときは、前記ハイライトを点線枠状に描画しなおすようにＯＳＤ回路１６に指令する。前記ハイライトが点線枠状になったことで、ユーザーはカーソル操作可能な状態であると判断することができる。点線枠状に変化させることに限らず、枠の色を変化させてもよい。そして、状態３のときに２画面キーの押下を検出すると状態２に戻る。
【００３０】
システムコントローラ１５は、状態２のときに上キーの押下を検出すると選択画面のサイズを大きくするべく２画面合成回路４に指令を与え、下キーの押下を検出すると選択画面のサイズを小さくするべく２画面合成回路４に指令を与える。また、システムコントローラ１５は、状態２のときに右キーの押下を検出すると右の画面を選択画面として扱い（右画面にハイライト描画を行う）、状態２のときに左キーの押下を検出すると左の画面を選択画面として扱う（右画面にハイライト描画を行う）。
【００３１】
すなわち、前記２画面操作方法によれば、状態２から状態３への遷移は、メニューからの選択ではなく、１回のキーの操作で行うことができる。そして、このキーは既存の決定キーであるから、２画面専用のキー数を少なくできる。なお、上記の例では、状態２から状態３へ遷移するために決定キーを用いたが、他のキー、例えば、「カーソル操作」と表記されたキーを用いて状態２から状態３へ遷移すようにしてもよい。かかる場合も、第１従来例に比べれば２画面専用キーの数は１つ少なくなり、また、第２従来例に比べるとキー数は多くなるものの、メモュー画面を呼び出して再設定するといった手間は無くなる。
【００３２】
また、上記の例では、選択画面を示すためのマーク画像として枠状のハイライトを表示したが、これに限らず、例えば選択画面の下位置付近にマーク画像として文字を表示してもよい。例えば、状態２では選択画面の下部位置などに「選択画面」といった文字を表示し、状態３では選択画面の下部位置などに「カーソル操作可」といった文字を表示してもよい。また、複数の映像ソースとしてチューナを示したが、外部機器（例えば、ＤＶＤプレーヤ等）からの入力映像とチューナからの映像との２画面合成を行うことも可能である。勿論、２画面に限らず、例えば４画面合成を行うこともでき、この４画面合成表示において複数画面操作方法を適用することができる。
【図面の簡単な説明】
【００３３】
【図１】この発明の実施形態の放送受信装置を示したブロック図である。
【図２】この発明の実施形態の２画面操作方法を説明する状態遷移図及びこの操作に用いられるリモコン送信機を示した説明図である。
【図３】従来の２画面操作方法を説明する状態遷移図及びこの操作に用いられるリモコン送信機を示した説明図である。
【図４】従来の２画面操作方法を説明する状態遷移図及びこの操作に用いられるリモコン送信機を示した説明図である。
【符号の説明】
【００３４】
１Ａ，１Ｂ，１Ｃ    チューナ
２Ａ，２Ｂ  信号切替器
３    セレクタ
４    ２画面合成回路
１５  システムコントローラ
１６  ＯＳＤ回路
【図１】
0004698332.tif 000002
【図２】
0004698332.tif 000003
【図３】
0004698332.tif 000004
【図４】
0004698332.tif 000005